(57)【要約】【課題】遠隔監視制御システムにおいて、ＨＤＬＣに基づいて運用される汎用の子局装置を二系列化する。【解決手段】遠隔監視制御システム１において、親局装置２は、機器８の制御信号を送信し、機器８の状態信号を受信する。模擬親局装置３は、１系ＩＴＣ５及び２系ＩＴＣ６のうち、その時点で待機系の装置と通信試験を行う。例えば、模擬制御信号を送信し、模擬状態信号を受信する。回線切替装置４は、親局装置と、子局装置との間の接続を切り替える装置であり、親局装置２と１系ＩＴＣ５とを接続し、模擬親局装置３と２系ＩＴＣ６とを接続する場合と、親局装置２と２系ＩＴＣ６とを接続し、模擬親局装置３と１系ＩＴＣ５とを接続する場合とがある。１系ＩＴＣ５及び２系ＩＴＣ６は、その時点で常用系の装置が、制御信号を受信し、その制御信号に応じた制御指令を機器８に送信するとともに、機器８から表示入力等を行い、その入力に応じた状態信号を送信する。【選択図】図１
2010166332.tif 000002
【特許請求の範囲】
【請求項１】
遠隔地にある機器の状態を監視する親局装置と、
前記機器の状態を検知し、前記親局装置に通知する第１の子局装置及び第２の子局装置と、
前記親局装置と、前記第１の子局装置及び前記第２の子局装置とを接続する回線を切り替える回線切替装置と、
を備え、
前記親局装置は、前記機器の状態データを要求する制御信号を前記回線切替装置に送信するとともに、前記回線切替装置から前記機器の状態データを含む状態信号を受信し、
前記回線切替装置は、前記親局装置と、前記第１の子局装置及び前記第２の子局装置のうち、常用系の子局装置とを接続して、前記親局装置からの前記制御信号を前記常用系の子局装置へ通すとともに、前記常用系の子局装置からの前記状態信号を前記親局装置へ通し、回線切替の指示を受けた場合に、前記親局装置と、待機系の子局装置とを接続して、前記親局装置からの前記制御信号を前記待機系の子局装置へ通すとともに、前記待機系の子局装置からの前記状態信号を前記親局装置へ通し、
前記第１の子局装置及び前記第２の子局装置は、前記回線切替装置から前記制御信号を受信した場合に、前記機器の状態を検知し、当該機器の状態により前記状態信号を生成し、当該状態信号を前記回線切替装置に送信する
ことを特徴とする遠隔監視制御システム。
【請求項２】
請求項１に記載の遠隔監視制御システムであって、
前記待機系の子局装置の通信確認を行う模擬親局装置をさらに備え、
前記模擬親局装置は、通信確認に用いられる前記制御信号である模擬制御信号を前記回線切替装置に送信するとともに、通信確認に用いられる前記状態信号である模擬状態信号を前記回線切替装置から受信し、
前記回線切替装置は、前記模擬親局装置と、前記待機系の子局装置とを接続して、前記模擬親局装置からの前記模擬制御信号を前記待機系の子局装置へ通すとともに、前記待機系の子局装置からの前記模擬状態信号を前記模擬親局装置へ通し、前記回線切替の指示を受けた場合に、前記模擬親局装置と、前記常用系の子局装置とを接続して、前記模擬親局装置からの前記模擬制御信号を前記常用系の子局装置へ通すとともに、前記常用系の子局装置からの前記模擬状態信号を前記模擬親局装置へ通し、
前記第１の子局装置及び前記第２の子局装置は、前記回線切替装置から前記模擬制御信号を受信した場合に、前記機器の状態を検知することなく、前記模擬状態信号を前記回線切替装置に送信する
ことを特徴とする遠隔監視制御システム。
【請求項３】
請求項１又は請求項２に記載の遠隔監視制御システムであって、
前記回線切替装置は、前記回線切替の指示を受けた場合に、前記第１の子局装置及び前記第２の子局装置の電源リセットを行う
ことを特徴とする遠隔監視制御システム。
【請求項４】
請求項１ないし請求項３のいずれか一項に記載の遠隔監視制御システムであって、
前記回線切替装置が前記回線切替の指示を受けた場合とは、前記常用系の子局装置の故障を検出した場合、手動による切替指示を受けた場合、又は、遠隔制御による切替指示を受けた場合である
ことを特徴とする遠隔監視制御システム。
【請求項５】
遠隔地にある機器の状態を監視する親局装置と、
前記機器の状態を検知し、前記親局装置に通知する第１の子局装置及び第２の子局装置と、
の間に介在し、
前記親局装置と、前記第１の子局装置及び前記第２の子局装置のうち、常用系の子局装置とを接続して、前記親局装置からの前記制御信号を前記常用系の子局装置へ通すとともに、前記常用系の子局装置からの前記状態信号を前記親局装置へ通し、回線切替の指示を受けた場合に、前記親局装置と、待機系の子局装置とを接続して、前記親局装置からの前記制御信号を前記待機系の子局装置へ通すとともに、前記待機系の子局装置からの前記状態信号を前記親局装置へ通す
ことを特徴とする回線切替装置。
【請求項６】
請求項５に記載の回線切替装置であって、
前記待機系の子局装置の通信確認を行う模擬親局装置と、
前記第１の子局装置及び前記第２の子局装置と
の間に介在し、
前記模擬親局装置と、前記待機系の子局装置とを接続して、前記模擬親局装置からの前記模擬制御信号を前記待機系の子局装置へ通すとともに、前記待機系の子局装置からの前記模擬状態信号を前記模擬親局装置へ通し、前記回線切替の指示を受けた場合に、前記模擬親局装置と、前記常用系の子局装置とを接続して、前記模擬親局装置からの前記模擬制御信号を前記常用系の子局装置へ通すとともに、前記常用系の子局装置からの前記模擬状態信号を前記模擬親局装置へ通す
ことを特徴とする回線切替装置。
【請求項７】
請求項５又は請求項６に記載の回線切替装置であって、
前記回線切替の指示を受けた場合に、前記第１の子局装置及び前記第２の子局装置の電源リセットを行う
ことを特徴とする回線切替装置。
【請求項８】
請求項５ないし請求項７のいずれか一項に記載の回線切替装置であって、
前記回線切替の指示を受けた場合とは、前記常用系の子局装置の故障を検出した場合、手動による切替指示を受けた場合、又は、遠隔制御による切替指示を受けた場合である
ことを特徴とする回線切替装置。
【発明の詳細な説明】
【技術分野】
【０００１】
本発明は、親局装置と、二系列化した子局装置との間のデータ伝送がＨＤＬＣ（High-Level Data Link Control）に基づいて運用される遠隔監視制御システムに関する。
【背景技術】
【０００２】
従来、重要拠点及び離島の電気所に設置される遠隔監視制御装置（ＴＣ：TeleControl）は、サイクリック伝送方式で運用されるため、制御所に設置される親局装置との通信手順が制約を受けることがなく、ＴＣが故障したときに、親局装置側で容易に健全側ＴＣ（待機系）に切り替えられるので、二系列化することで信頼性を高めていた。
【０００３】
近年、経年に伴う取替で新たに採用される新型遠隔監視制御装置（ＩＴＣ：Intelligent TeleControl）は、ＨＤＬＣに基づいて運用される。これにより、遠隔監視制御装置の高機能化、高速・大容量化、保守性の向上、高信頼性・コンパクト化を実現することができる。ただし、ＨＬＤＣで運用した場合、親局装置との通信手順が定められており、必ず１対１で通信する必要がある。
【０００４】
そこで、ＨＤＬＣ運用に対応するために、伝送機能の二重化を簡易手段で実現し、かつ、多項目大量伝送、高速伝送、高効率伝送を可能にする二重化遠方監視制御装置が提案されている（特許文献１参照）。また、親局及び子局に切替ユニットを設け、二重化した遠隔制御装置により、回線異常が起きても情報伝送機能を確保する遠方監視制御システムが提案されている（特許文献２参照）。
【先行技術文献】
【特許文献】
【０００５】
【特許文献１】特開平５−５６４８２号公報
【特許文献２】特開平９−２４７７６６号公報
【発明の概要】
【発明が解決しようとする課題】
【０００６】
しかしながら、上記従来技術には、以下のような問題がある。  
特許文献１の二重化遠方監視制御装置に関して、親局と、子局とをそれぞれモデムを介して伝送路で接続する必要があり、現在採用されているＩＴＣのように、１台の遠隔監視制御装置に対して通信回線を二重化する場合、２装置分で４回線の伝送路を必要とするので、離島等で通信回線の確保が困難な場所では採用するのが難しい。また、親局装置で稼働する監視制御用プログラムから見ると、子局装置が２個の電気所として認識されるので、テーブル修正等の業務コストが大幅に増えることになる。
【０００７】
また、特許文献２の遠方監視制御システムに関して、スレーブ（子局装置）側の伝送制御部が常時開放状態で通信していないので、待機系の健全性を確保することができない。  
さらに、特許文献１及び２の双方に関して、ＩＴＣ（子局装置）間に二重化用のインタフェースを備えていない汎用のＩＴＣを適用して実現することは困難である。
【０００８】
本発明は、上記課題を鑑みてなされたものであり、その主たる目的は、遠隔監視制御システムにおいて、ＨＤＬＣに基づいて運用される汎用の子局装置を二系列化することにある。
【課題を解決するための手段】
【０００９】
上記課題を解決するために、本発明は、遠隔監視制御システムであって、遠隔地にある機器の状態を監視する親局装置と、前記機器の状態を検知し、前記親局装置に通知する第１の子局装置及び第２の子局装置と、前記親局装置と、前記第１の子局装置及び前記第２の子局装置とを接続する回線を切り替える回線切替装置と、を備え、前記親局装置が、前記機器の状態データを要求する制御信号を前記回線切替装置に送信するとともに、前記回線切替装置から前記機器の状態データを含む状態信号を受信し、前記回線切替装置が、前記親局装置と、前記第１の子局装置及び前記第２の子局装置のうち、常用系の子局装置とを接続して、前記親局装置からの前記制御信号を前記常用系の子局装置へ通すとともに、前記常用系の子局装置からの前記状態信号を前記親局装置へ通し、回線切替の指示を受けた場合に、前記親局装置と、待機系の子局装置とを接続して、前記親局装置からの前記制御信号を前記待機系の子局装置へ通すとともに、前記待機系の子局装置からの前記状態信号を前記親局装置へ通し、前記第１の子局装置及び前記第２の子局装置が、前記回線切替装置から前記制御信号を受信した場合に、前記機器の状態を検知し、当該機器の状態により前記状態信号を生成し、当該状態信号を前記回線切替装置に送信することを特徴とする。
【００１０】
この構成によれば、子局装置を二系列化した遠隔監視制御システムにおいて、親局装置と、子局装置との間の伝送方式をサイクリックからＨＤＬＣに変更する場合に、既設の親局装置の改造は、ＨＤＬＣ化だけで済み、親局装置で稼働する監視制御用プログラムからは、通常の１台の子局装置に見えるので、既存のシステム構成情報や画面テーブルをそのまま使用することができる。子局装置は、ＨＤＬＣ化した新型装置にする必要があるが、回線切替装置によって親局装置と、２台の子局装置との通信切替を行うので、二重化インタフェース等を備える必要はなく、汎用装置を適用することができる。以上によれば、信頼性を低下させることなく、安価でＨＤＬＣ運用を実現することができる。
【００１１】
また、本発明は、遠隔監視制御システムであって、前記待機系の子局装置の通信確認を行う模擬親局装置をさらに備え、前記模擬親局装置が、通信確認に用いられる前記制御信号である模擬制御信号を前記回線切替装置に送信するとともに、通信確認に用いられる前記状態信号である模擬状態信号を前記回線切替装置から受信し、前記回線切替装置が、前記模擬親局装置と、前記待機系の子局装置とを接続して、前記模擬親局装置からの前記模擬制御信号を前記待機系の子局装置へ通すとともに、前記待機系の子局装置からの前記模擬状態信号を前記模擬親局装置へ通し、前記回線切替の指示を受けた場合に、前記模擬親局装置と、前記常用系の子局装置とを接続して、前記模擬親局装置からの前記模擬制御信号を前記常用系の子局装置へ通すとともに、前記常用系の子局装置からの前記模擬状態信号を前記模擬親局装置へ通し、前記第１の子局装置及び前記第２の子局装置が、前記回線切替装置から前記模擬制御信号を受信した場合に、前記機器の状態を検知することなく、前記模擬状態信号を前記回線切替装置に送信することを特徴とする。  
この構成によれば、待機系の子局装置は、模擬親局装置と模擬制御信号及び模擬状態信号を送受信することにより、自装置の健全性を確認することができる。
【００１２】
また、本発明は、遠隔監視制御システムであって、前記回線切替装置が、前記回線切替の指示を受けた場合に、前記第１の子局装置及び前記第２の子局装置の電源リセットを行うことを特徴とする。  
この構成によれば、子局装置を常用系から待機系へ切り替える際に、電源リセットにより、新たに通信する親局装置に合わせて初期設定及び時刻同期を行うため、正常なリンク確立が可能となる。また、不良装置（常用系）の再起動を実施することにより、早期復旧を試みることができる。
【００１３】
また、本発明は、遠隔監視制御システムであって、前記回線切替装置が前記回線切替の指示を受けた場合とは、常用系の子局装置の故障を検出した場合、手動による切替指示を受けた場合、又は、遠隔制御による切替指示を受けた場合であることを特徴とする。
【００１４】
なお、本発明は、回線切替装置を含む。その他、本願が開示する課題及びその解決方法は、発明を実施するための最良の形態の欄、及び図面により明らかにされる。
【発明の効果】
【００１５】
本発明によれば、遠隔監視制御システムにおいて、ＨＤＬＣに基づいて運用される汎用の子局装置を二系列化することができる。
【図面の簡単な説明】
【００１６】
【図１】遠隔監視制御システム１の構成を示す図であり、１系ＩＴＣ５が常用系で、２系ＩＴＣ６が待機系の接続構成を示す。
【図２】遠隔監視制御システム１の構成を示す図であり、１系ＩＴＣ５が待機系で、２系ＩＴＣ６が常用系の接続構成を示す。
【発明を実施するための形態】
【００１７】
以下、図面を参照しながら、本発明を実施するための最良の形態を説明する。本発明の実施の形態に係る遠隔監視制御システムは、親局装置と、常用系の子局装置及び待機系の子局装置との間に回線切替装置を設けて、親局装置と、常用系の子局装置とを通信可能にするとともに、常用系装置の故障検出等により子局装置を切り替える場合に、親局装置と、待機系の子局装置とを通信可能にするものである。そして、当該回線切替装置に模擬親局装置を設けて、待機系の子局装置との間で通信試験を行うものである。
【００１８】
これによれば、ＨＤＬＣ化に対応しているが、二重化インタフェースを持たない汎用の子局装置を二系列化することができる。
【００１９】
≪システムの構成と概要≫
図１は、遠隔監視制御システム１の構成を示す図である。遠隔監視制御システムは、基本的な動作として、遠隔監視用のプログラムが稼働する親局装置が通信回線を介して子局装置に制御信号を送信し、子局装置が親局装置から制御信号を受信し、その制御信号に従って監視対象の機器から各種データを入力し、そのデータに基づく状態信号を親局装置に送信する。
【００２０】
図１に示すように、遠隔監視制御システム１は、親局装置２、模擬親局装置３、回線切替装置４、１系ＩＴＣ５、２系ＩＴＣ６、直流電源盤７及び機器８を備える。親局装置２、１系ＩＴＣ５及び２系ＩＴＣ６は、回線切替装置４に通信可能に接続される。模擬親局装置３は、回線切替装置４に外付け又は内蔵される。１系ＩＴＣ５及び２系ＩＴＣ６は、回線切替装置４を介して直流電源盤７に接続されるとともに、機器８に選択的に接続される。
【００２１】
親局装置２は、制御所に設置され、遠隔監視用のプログラムが稼働することにより、遠隔地にある機器８を監視する装置であり、機器８に対する制御信号を回線切替装置４に送信し、回線切替装置４から機器８の状態信号を受信し、その状態信号に含まれる情報に応じて各種処理（例えば、事故情報の場合には、事故情況の分析、メッセージや機器状態の表示、印刷等の処理）を行う。そして、親局装置２は、Ａ系ＤＸ（Data eXchange：データ交換機）２ａ及びＢ系ＤＸ２ｂの２台の装置からなる。Ａ系ＤＸ２ａは、Ａルートで回線切替装置４に繋がり、Ｂ系ＤＸ２ｂは、Ｂルートで回線切替装置４に繋がる。
【００２２】
模擬親局装置３は、子局装置の健全性を確認するために子局装置との間で通信試験を行う試験装置であり、１系ＩＴＣ５及び２系ＩＴＣ６のうち、その時点で待機系になっている装置と通信する。例えば、定期的にダミーの制御信号（模擬制御信号）を送信し、その応答であるダミーの状態信号（模擬制御信号）の受信を待ち、所定時間以内に受信しなければ、警告メッセージを表示する。
【００２３】
回線切替装置４は、親局装置２及び模擬親局装置３と、１系ＩＴＣ５及び２系ＩＴＣ６との間の接続を切り替える装置であり、その接続には二通りがある。一方は、親局装置２と１系ＩＴＣ５とを接続し、模擬親局装置３と２系ＩＴＣ６とを接続する場合である（図１参照）。他方は、親局装置２と２系ＩＴＣ６とを接続し、模擬親局装置３と１系ＩＴＣ５とを接続する場合である（図２参照）。そして、回線切替装置４は、親局装置２から制御信号を受信し、その時点の常用系である１系ＩＴＣ５又は２系ＩＴＣ６に制御信号を送信するとともに、その応答として１系ＩＴＣ５又は２系ＩＴＣ６から状態信号を受信し、その状態信号を親局装置２に送信する。また、回線切替装置４は、模擬親局装置２からダミーの制御信号を受信し、その時点の待機系である１系ＩＴＣ５又は２系ＩＴＣ６にダミーの制御信号を送信するとともに、その応答として１系ＩＴＣ５又は２系ＩＴＣ６からダミーの状態信号を受信し、そのダミーの状態信号を親局装置２に送信する。
【００２４】
１系ＩＴＣ５及び２系ＩＴＣ６は、電気所に設置され、機器８を直接監視・制御する子局装置であり、そのうち、その時点で常用系の１系ＩＴＣ５又は２系ＩＴＣ６が、回線切替装置４から制御信号を受信し、その制御信号に応じた制御指令を機器８に送信するとともに、その応答として機器８から表示入力、デジタル量入力（例えば、二進化十進数（ＢＣＤ：Binary-Coded Decimal）の入力）やアナログ量入力（例えば、表示・計測情報の入力）を行い、その入力に応じた状態信号を回線切替装置４に送信する。例えば、機器８からの入力により、機器８の状態変化を検出し、複数の事故情報等も反映させて機器情報を生成、編集し、状態信号に載せて、回線切替装置４に送信する。この状態信号では、ＨＤＬＣにより可変長情報、状態変化時関連情報のみを伝送するため、情報量の拡張に柔軟に対応可能である。なお、その時点で待機系の子局装置は、模擬親局装置３から通信試験のためのダミーの制御信号を受信するが、機器８への制御が可能になっていないので、応答としてダミーの状態信号を送信する。
【００２５】
直流電源盤７は、回線切替装置４のスイッチＳＷ１０を介して、１系ＩＴＣ５及び２系ＩＴＣ６に接続され、電力を供給する。
【００２６】
機器８は、監視対象の機器（例えば、配電盤、遮断器、断路器の制御回路や数値制御装置等）であり、スイッチＳＷ１１による切替に応じて、その時点で常用系になっている１系ＩＴＣ５又は２系ＩＴＣ６に制御回路（図示せず）が接続され、その常用系の子局装置から機器８の制御が可能となる。また、１系ＩＴＣ５及び２系ＩＴＣ６に表示・計測回路（図示せず）が常時接続され、常用系及び待機系の子局装置に対して機器８の状態入力が可能となる。
【００２７】
≪回線切替装置の構成≫
続いて、図１を参照して、回線切替装置４の構成を説明する。回線切替装置４は、信号分岐装置Ｈ１〜Ｈ８、スイッチＳＷ１〜ＳＷ１０及び信号分岐装置Ｈ１〜Ｈ８とスイッチＳＷ１〜ＳＷ８とを接続する１６本の通信線を備える。信号分岐装置Ｈ１〜８は、外部の親局装置２、模擬親局装置３、１系ＩＴＣ５又は２系ＩＴＣ６と接続されるとともに、内部のスイッチＳＷ１〜ＳＷ８のいずれか２個と通信線により接続される。そして、外部の装置からの制御信号や状態信号を２個のスイッチへ通す。例えば、信号分岐装置Ｈ１は、１系ＩＴＣ５から１系Ａルートを通じて来た状態信号をスイッチＳＷ５及びＳＷ７へ通す。また、信号分岐装置Ｈ５は、Ａ系ＤＸ２ａからＡルートを通じて来た制御信号をスイッチＳＷ１及びＳＷ３へ通す。他の信号分岐装置Ｈ２〜４、Ｈ６〜８も同様である。
【００２８】
スイッチＳＷ１〜ＳＷ８は、外部の親局装置２、模擬親局装置３、１系ＩＴＣ５又は２系ＩＴＣ６に接続されるとともに、内部の信号分岐装置Ｈ１〜８のいずれか２個と通信線により接続されるが、ある時点では、切替により２個のうち、１個の信号分岐装置と接続される。そして、その時点で接続された信号分岐装置から外部の装置へ制御信号や状態信号を通す。例えば、図１において、スイッチＳＷ１は、信号分岐装置Ｈ５から１系Ａルートを通じて１系ＩＴＣ５へ制御信号を通す。また、スイッチＳＷ５は、信号分岐装置Ｈ１からＡルートを通じてＡ系ＤＸ２ａへ状態信号を通す。他のスイッチＳＷ２〜ＳＷ４、ＳＷ６〜ＳＷ８も同様である。
【００２９】
スイッチＳＷ９は、切替により、１系ＩＴＣ５及び２系ＩＴＣ６のうち、その時点で常用系の子局装置と接続され、その子局装置からの故障信号により、回線切替のトリガを与える。なお、回線切替には、これ以外に、手動による切替や、サイクリック伝送方式（ＣＤＴ：Cyclic Data Transfer）等の遠隔制御による切替がある。
【００３０】
スイッチＳＷ１０は、１系ＩＴＣ５及び２系ＩＴＣ６と、直流電源盤７との間に設けられ、通常は閉じているが、回線切替時には数秒間開放される。これにより、１系ＩＴＣ５及び２系ＩＴＣ６が電源リセットされる。
【００３１】
スイッチＳＷ１１は、１系ＩＴＣ５及び２系ＩＴＣ６と、機器８との間に設けられ、その時点で常用系の子局装置と、機器８とが制御可能になるように切り替えられる。
【００３２】
なお、図示しないが、回線切替装置４は、故障信号によりスイッチＳＷ９等から回線切替のトリガを受けてスイッチＳＷ１〜ＳＷ９及びＳＷ１１を切り替える制御回路を備えるものとする。また、複数の機器８が常用系の子局装置と制御可能になっていてもよい。
【００３３】
≪システムの接続及び切替≫
続いて、遠隔監視制御システム１の接続及び切替について説明する。改めて、図１は、１系ＩＴＣ５が常用系で、２系ＩＴＣ６が待機系の接続構成を示し、図２は１系ＩＴＣ５が待機系で、２系ＩＴＣ６が常用系の接続構成を示す。
【００３４】
図１において、回線切替装置４のスイッチＳＷ１〜ＳＷ８が図中上側の接点に繋がっていることにより、親局装置２と、１系ＩＴＣ５とが通信可能に接続されるとともに、模擬親局装置３と、２系ＩＴＣ６とが通信可能に接続される。すなわち、１系ＩＴＣ５が常用系で、２系ＩＴＣ６が待機系になっている。また、スイッチＳＷ９が上側の接点に繋がっていることにより、１系ＩＴＣ５からの故障信号を受信可能である。さらに、スイッチＳＷ１１が上側の接点に繋がっていることにより、１系ＩＴＣ５が機器８の制御をすることができる。
【００３５】
そして、故障検出、手動、又は、ＣＤＴ等による遠隔制御により、回線切替装置４が回線を切り替える動作を行う。具体的には、図示しない制御回路が、回線切替の指示を受けて、まず、スイッチＳＷ１０を数秒間だけ開放することにより、１系ＩＴＣ５及び２系ＩＴＣ６の電源リセットを行う。それと同時に、スイッチＳＷ１〜ＳＷ９及びＳＷ１１を一括して上側の接点から下側の接点に切り替える。これにより、１系ＩＴＣ５及び２系ＩＴＣ６は、回線接続の切り替わった親局装置に合わせて初期設定（通信リンクの確立を含むイニシャライズ）及び時刻同期を行う。時刻同期は、子局装置の時計を、親局装置が備える標準時計の時刻に合わせる処理である。
【００３６】
図２において、回線切替装置４のスイッチＳＷ１〜ＳＷ８が図中下側の接点に繋がっていることにより、模擬親局装置３と、１系ＩＴＣ５とが通信可能に接続されるとともに、親局装置２と、２系ＩＴＣ６とが通信可能に接続される。すなわち、１系ＩＴＣ５が待機系で、２系ＩＴＣ６が常用系になっている。また、スイッチＳＷ９が下側の接点に繋がっていることにより、２系ＩＴＣ６からの故障信号を受信可能である。さらに、スイッチＳＷ１１が下側の接点に繋がっていることにより、２系ＩＴＣ６が機器８の制御をすることができる。
【００３７】
なお、自動切替（故障検出をトリガとする切替制御）にすると、常用系の１系ＩＴＣ５が故障した時にすぐに電源リセットされるので、その故障した１系ＩＴＣ５のエラー詳細情報を収集することができない。この場合、親局装置２からの要求に応じてエラー詳細情報を送信することができなくなる。そこで、自動切替ではなく、手動切替又は遠隔切替で対応すれば、１系ＩＴＣ５の故障が検出された時点でエラー詳細情報を収集し、その後に１系ＩＴＣ５及び２系ＩＴＣ６の電源リセットと切替を行うことができる。以上から、遠隔監視制御システム１の運用上の事情（子局装置の自動復旧を優先するか、又は、エラー詳細情報の収集を優先するか）に応じて、回線切替装置４を自動切替にするか否かを任意に選択可能とする。
【００３８】
また、待機系の２系ＩＴＣ６が故障しても、自動切替は実施しないものとする。この場合、待機系のリセットは行わず、その故障の原因を調査する。
【００３９】
以上説明した本発明の実施の形態によれば、子局装置を常用系及び待機系に二系列化した遠隔監視制御システム１において、親局装置２と、１系ＩＴＣ５及び２系ＩＴＣ６（子局装置）との間の伝送方式をサイクリックからＨＤＬＣに変更する場合に、回線切替装置４を介在させることで、既設の親局装置２の改造はＨＤＬＣ化だけで済み、親局装置２で稼働する監視制御用プログラムからは、１系ＩＴＣ５及び２系ＩＴＣ６のいずれか一方が通常の１台の子局装置に見えるので、制御所における既存のシステム構成情報や監視画面をそのまま使用することができる。１系ＩＴＣ５及び２系ＩＴＣ６は、ＨＤＬＣ化した新型装置にする必要があるが、回線切替装置４によって親局装置２と、２台の子局装置との通信切替を行うので、二重化インタフェース等を備える必要がなく、汎用の装置を適用することができる。以上によれば、汎用の装置を組み合わせて開発費用を抑えることで、信頼性を維持したままで、低コストにＨＤＬＣ運用を実現することができる。
【００４０】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００４１】
１      遠隔監視制御システム
２      親局装置
３      模擬親局装置
４      回線切替装置
５      １系ＩＴＣ（第１の子局装置、子局装置）
６      ２系ＩＴＣ（第２の子局装置、子局装置）
７      直流電源盤
８      機器
【図１】
2010166332.tif 000003
【図２】
2010166332.tif 000004